(57)【要約】【課題】原稿サイズ検知手段が特殊原稿サイズを誤検知した場合にも、正しく情報処理を行うことが可能な情報処理装置を提供する。【解決手段】原稿後端検知センサ３０９と原稿幅検知センサ３１１とにより検知された原稿のサイズを基準に該原稿の画像をスキャナユニットにより読み取る際に原稿後端検知センサ３０９と原稿幅検知センサ３１１とにより検知された前記原稿のサイズが予め原稿サイズ登録手段に登録された原稿のサイズと合致した場合に前記原稿サイズ登録手段に登録された原稿のサイズに従い情報処理を行うように制御する。【選択図】      図１
2004194254.tif 000002
【特許請求の範囲】
【請求項１】
原稿を情報読取位置に搬送する原稿搬送手段と、
前記原稿搬送手段により前記情報読取位置に搬送される前記原稿の情報を読み取る情報読取手段と、
原稿サイズを検知する原稿サイズ検知手段と、
前記原稿の情報を前記情報読取手段により読み取る際に、前記原稿サイズ検知手段により検知された原稿サイズが予め設定された原稿サイズと一致した場合に、前記原稿サイズ検知手段により検知された原稿サイズと異なる所定の原稿サイズに応じた原稿読み取り処理を行うように制御する制御手段と、
を有すること特徴とする情報処理装置。
【発明の詳細な説明】
【０００１】
【発明の属する技術分野】
本発明は、複写機等の情報（画像）処理装置に関する。
【０００２】
【従来の技術】
従来、安価で且つ生産性の良い流し読み機能（シート状の原稿を移動させながら該原稿の画像を読み取る機能）を持つ自動原稿搬送手段を備えた画像処理装置が知られている。
【０００３】
このような画像処理装置において原稿の画像を流し読み機能により読み取る場合は、流し読みを開始する前に原稿サイズ検知手段により原稿のサイズを検知して読み取る原稿のサイズを決定し、前記原稿サイズ検知手段により検知された原稿のサイズに従い原稿の情報の流し読みを行うことにより、生産性良く画像処理を行っていた（例えば、特許文献１参照）。
【０００４】
【特許文献１】
特開平１１-２１２４２５号公報
【０００５】
【発明が解決しようとする課題】
しかしながら、上述した従来の画像処理装置における自動原稿搬送手段では、前記原稿サイズ検知手段により検知できる原稿のサイズは限定されている。
【０００６】
例えば、ラテンアメリカ地域等で使用される特殊サイズ扱いのＯＦＦＩＣＩＯサイズ（２１６ｍｍ×３１７．５ｍｍ）やＦＯＯＬＳＣＡＰサイズ（２１６ｍｍ×３３０ｍｍ）やＭｅｘｉｃａｎＯＦＦＩＣＩＯサイズ（２１６ｍｍ×３４１ｍｍ）等の原稿は、送り方向の長さの違いが１ｃｍ程度であるため、前記原稿サイズ検知手段が誤検知を起こしてしまう。
【０００７】
今、前記自動原稿搬送手段において前記ＦＯＯＬＳＣＡＰサイズが検知可能な場合に、前記ＯＦＦＩＣＩＯサイズや、ＭｅｘｉｃａｎＯＦＦＩＣＩＯサイズは、全てＦＯＯＬＳＣＡＰサイズと認識されてしまう。
【０００８】
原稿がＯＦＦＩＣＩＯサイズである場合には、ＦＯＯＬＳＣＡＰサイズまで読み取ろうとするため、原稿を搬送後の画像読取位置を１．２５ｃｍｍ読み取り、そこにゴミ等が付着している場合は、ゴミを引きずった状態の汚れた画像となってしまう。
【０００９】
また、原稿がＭｅｘｉｃａｎＯＦＦＩＣＩＯサイズの場合は、ＦＯＯＬＳＣＡＰサイズまでしか読み取ることができず、そのために画像が欠けてしまう不具合があった。
【００１０】
また、前記自動原稿搬送手段の機構が異なる場合は、副走査鏡像になる場合もある。この場合は、画像読み取り時の制御を工夫して正像にしているが、この場合に、ＯＦＦＩＣＩＯサイズをＦＯＯＬＳＣＡＰサイズと誤検知した場合は、位置ずれを発生するという不具合があった。
【００１１】
本発明は、上述した従来技術の有する問題点を解消するためになされたもので、その目的は、原稿サイズ検知手段が特殊原稿サイズを誤検知した場合にも、正しく情報処理を行うことが可能な情報処理装置を提供することである。
【００１２】
【課題を解決するための手段】
上記目的を達成するために、本発明の情報処理装置は、原稿を情報読取位置に搬送する原稿搬送手段と、前記原稿搬送手段により前記情報読取位置に搬送される前記原稿の情報を読み取る情報読取手段と、原稿サイズを検知する原稿サイズ検知手段と、前記原稿の情報を前記情報読取手段により読み取る際に、前記原稿サイズ検知手段により検知された原稿サイズが予め設定された原稿サイズと一致した場合に、前記原稿サイズ検知手段により検知された原稿サイズと異なる所定の原稿サイズに応じた原稿読み取り処理を行うように制御する制御手段と、を有すること特徴とする。
【００１３】
【発明の実施の形態】
以下、本発明の各実施の形態を図面に基づき説明する。
【００１４】
（第１の実施の形態）
まず、本発明の第１の実施の形態を図１〜図１３に基づき説明する。
【００１５】
図１は、本実施の形態に係る画像（情報）処理装置を有する画像（情報）処理システムの構成を示すブロック図である。
【００１６】
図１において、１０１は本実施の形態に係る画像処理装置で、該画像処理装置１０１は、イーサネット（登録商標）等のＬＡＮ（Ｌｏｃａｌ  Ａｒｅａ  Ｎｅｔｗｏｒｋ）１０２を介してホストコンピュータ、本実施の形態では、第一、第二のホストコンピュータ（ＰＣ：パーソナルコンピュータ）１０３，１０４に接続されている。
【００１７】
本実施の形態に係る画像処理装置１０１は、シート状の原稿の面に有する画像（情報）の読取処理を行うリーダ部１０５と、リーダ部１０５により読み取った画像の出力処理を行うプリンタ部１０６と、前記画像の入出力操作を行うキーボード、及び前記画像や各種機能の表示等を行う液晶パネルを備えた操作部１０７と、制御プログラムや画像データ等が予め書き込まれたＣＤ−ＲＯＭ（コンパクトディスク−リードオンリーメモリ）ドライブ１０８と、これら各構成要素に接続されてこれら各構成要素を制御する単一の電子部品からなるコントローラユニット１０９とから構成されている。
【００１８】
リーダ部１０５は、原稿を画像読取位置へ搬送する自動原稿搬送ユニット（自動原稿搬送手段）１１０と、原稿画像を光学的に読み取って電気信号としての画像データに変換するスキャナユニット（情報読取手段）１１１とを有している。
【００１９】
プリンタ部１０６は、画像を記録するための記録用紙を複数枚収容可能な複数段の給紙カセットを備えた給紙ユニット１１２と、画像を記録用紙に転写及び定着するマーキングユニット１１３と、画像が記録された記録用紙にソート処理やステイプル処理を施して、装置外部へ排出する排出ユニット１１４とを有している。
【００２０】
図２は、リーダ部１０５及びプリンタ部１０６の内部構造を示す側断面図であり、リーダ部１０５はプリンタ部１０６の上に載置されている。
【００２１】
図２において、図１と同一部分には同一符号を付してある。
【００２２】
図２において、１０１は画像処理装置、１０５はリーダ部、１０６はプリンタ部、１１０は自動原稿搬送ユニット、１１２は給紙ユニットで、二つの給紙カセット１１２ａ，１１２ｂを有している。１１４は排紙ユニット、２０１はプラテンガラス（以下、プラテンと記述する。）、２０１ａは原稿流し読取位置、２０２はランプ、２０３は光学ユニット、２０４〜２０６はミラー、２０７はレンズ、２０８はＣＣＤイメージセンサ（以下、ＣＣＤと記述する。）、２０９はレーザ発光部、２１０は感光ドラム、２１１は現像器、２１２は転写部、２１３は定着部、２１４は排紙ローラ、２１５はフラッパ、２１６は再給紙搬送路である。
【００２３】
リーダ部１０５では、自動原稿搬送ユニット１１０の原稿載置台（原稿載置トレイ）の上に積層載置された原稿がその積層順に従って、自動原稿搬送ユニット１１０により先頭から順次１枚ずつプラテンガラス２０１上に給送され、スキャナユニット１１１（図１参照）により所定の読取動作が行われた後、該読み取られた原稿は、プラテンガラス２０１上から自動原稿搬送ユニット１１０へ排出される。
【００２４】
また、スキャナユニット１１１では、原稿がプラテンガラス２０１上に搬送されて来るとランプ２０２が点灯し、次いで光学ユニット２０３の移動が開始し、ランプ２０２により原稿を下方から照射し、走査する。そして、原稿からの反射光は、複数のミラー２０４，２０５，２０６及びレンズ２０７を介してＣＣＤイメージセンサ（以下、単に「ＣＣＤ」と記述する。）２０８へと導かれ、走査された原稿の面に有する画像は、ＣＣＤ２０８によって読み取られる。そして、ＣＣＤ２０８により読み取られた画像は、所定の処理が施された後、コントローラユニット１０９（図１参照）へ転送される。
【００２５】
次に、自動原稿搬送ユニット１１０について説明する。
【００２６】
自動原稿搬送ユニット１１０は、原稿をリーダ部１０５の所定の画像読取位置まで搬送するものである。
【００２７】
図３は、自動原稿搬送ユニット１１０の構成を示す側断面図であり、同図において、３０１は上面に原稿が積層載置される原稿載置トレイ、３０２は駆動ローラ、３０３はターンローラ、３０４は幅広な無端ベルトで、駆動ローラ３０２とターンローラ３０４との間に巻回されている。３０５は原稿が排出される排出トレイ、３０６は一対の幅方向規制板（規制ガイド）、３０７はストッパ、３０８は原稿セット検知センサ（原稿セット検知手段）、３０９は原稿後端検知センサ（原稿サイズ検知手段）、３１０は最終原稿検知センサ、３１１は原稿幅検知センサ（原稿サイズ検知手段）、３１２は給送ローラ、３１３は給送センサ、３１４は分離センサ、３１５は分離クロックセンサ、３１６は分離モータ（分離駆動手段）、３１７は揺動モータ、３１８は給送ローラ（原稿搬送手段）、３１９は分離ベルト（第２分離部材）、３２０は分離搬送ローラ（第１分離部材）、３２１は給送ローラ（原稿搬送手段）、３２２は第１反転ローラ、３２３は第２反転ローラである。
【００２８】
図４は、図３の一部を拡大した図であって、搬送路に設けられたフラッパの位置を示しており、図３と同一部分には同一符号が付してある。
【００２９】
図５は、図４の一部を拡大した図であって、同図において、図４と同一部分には同一符号が付してある。図５において、５０１は揺動位置センサ、５０２は昇降アーム、５０３は分離上ガイド板、５０４は揺動アーム、５０５は位置決めピンである。
【００３０】
図４に示すように、原稿載置トレイ３０１の上に積層載置された原稿Ｐは、順次その最上位から分離され、リーダ部１０５の画像読取位置であるプラテンガラス（以降、単にプラテンと記述する。）２０１へ搬送される。
【００３１】
図４に示すように、無端ベルト３０４の下側面はプラテン２０１の上面に接触している。そして、無端ベルト３０４は図４の矢印方向に回転することにより、原稿載置トレイ３０１から搬送された原稿Ｐをプラテン２０１の所定位置に載置し、また、プラテン２０１の上に載置された原稿Ｐを排出トレイ３０５へ搬送する。
【００３２】
尚、原稿Ｐは、上から順に１ページ（２ページ）、３ページ（４ページ）、……の順番で原稿載置トレイ３０１の上に積層載置される。
【００３３】
次に、原稿載置トレイ３０１の構成について説明する。
【００３４】
原稿載置トレイ３０１は原稿を積層載置するものであり、この原稿載置トレイ３０１には、一対の幅方向規制板（規制ガイド）３０６が原稿Ｐの幅方向（搬送方向と直交する方向）にスライド自在に配置されている。この幅方向規制板３０６は、原稿載置トレイ３０１の上に積層載置される原稿Ｐの幅方向を規制し、この原稿Ｐの搬送時の安定性を確保する。
【００３５】
また、図５に示すように、原稿載置トレイ３０１の搬送方向下流側端部には、回動自在に構成されたストッパ３０７が設けられており、原稿載置トレイ３０１の上にセットされた原稿Ｐは、突出したストッパ３０７により規制されて、下流に進出できないようになっている。
【００３６】
次に、原稿載置トレイ３０１の上の各種のセンサについて説明する。
【００３７】
図３に示すように、ストッパ３０７の上流部近傍には原稿Ｐの束がセットされたことを検出する透過型の光センサからなる原稿セット検知センサ３０８が設けられている。原稿載置トレイ３０１の中程には、セットされた原稿Ｐがハーフサイズシートであるか否かを判定するための原稿後端検知センサ３０９が設けられている。この原稿後端検知センサ３０９は反射型の光センサから成り、ストッパ３０７から所定距離（例えば、２２５ｍｍ）離れた位置に配置され、長手原稿（ラージサイズ原稿）がセットされた場合にはオンになる。原稿セット検知センサ３０８と原稿後端検知センサ３０９との中間には、反射型の光センサから成る最終原稿検知センサ３１０が設けられており、搬送中の原稿Ｐが最終原稿であるか否かを判定する。また、原稿載置トレイ３０１の下部には、幅方向規制板３０６の位置を検出することにより、原稿載置トレイ３０１の上にセットされた原稿Ｐの束の幅（左右）方向の長さを検知する原稿幅検知センサ３１１が設けられている。原稿後端検知センサ３０９と原稿幅検知センサ３１１とにより、原稿サイズ検知手段が構成されている。
【００３８】
今、ＬＥＧＡＬサイズ（２１６ｍｍ×３５５．５ｍｍ）の原稿が原稿載置トレイ３０１の上に積層載置されたとする。原稿サイズ検知手段は、原稿後端検知センサ３０９がＯＮであるため、原稿載置トレイ３０１の上に積層載置された原稿はラージサイズ原稿であると判断する。その後、原稿が給送ローラ３１２を通過した後、給送センサ３１３を通過した時間を計測することにより、原稿の搬送方向の長さを算出する。給送ローラ３１２は、原稿の素材の種類により滑り等を発生するため、搬送方向の長さにマージンを設けて判定する。原稿の幅方向の長さは、幅方向規制板３０６の位置を検出することにより得られる。今、ＬＥＧＡＬサイズ（２１６ｍｍ×３５５．５ｍｍ）の原稿が原稿載置トレイ３０１の上に積層載置されたとする。原稿の幅方向の長さ２１６ｍｍと、送り方向の長さ３５５ｍｍとから、原稿載置トレイ３０１の上に積層載置された原稿のサイズはＬＥＧＡＬサイズであると判断する。
【００３９】
この自動原稿搬送ユニット１１０が原稿の流し読み機能を有している場合、この自動原稿搬送ユニット１１０の原稿載置トレイ３０１の上に積層載置された原稿は、自動原稿搬送ユニット１１０から原稿流し読取位置２０１ａ（図２参照）を一定の速度で通過する。
【００４０】
この場合、光学ユニット２０３は原稿流し読取位置２０１ａへ移動し、等速で搬送される原稿をランプ２０２によって照射し、ＣＣＤ２０８によって随時読み取ることで画像データを生成し、コントローラユニット１０９に転送される。
【００４１】
次いで、プリンタ部１０６では、コントローラユニット１０９から出力された画像データに対応するレーザ光が、レーザドライバにより駆動されるレーザ発光部２０９から発光される。このレーザ光は、感光ドラム２１０のマーキング部表面に照射され、このレーザ光に応じた静電潜像が感光ドラム２１０に形成され、前記静電潜像の部分に現像器２１１により現像剤が付着される。
【００４２】
一方、レーザ光の照射開始と同期したタイミングで、給紙ユニット１１２（給紙カセット１１２ａ，１１２ｂ）から記録用紙が給紙されて転写部２１２へ搬送され、感光ドラム２１０に付着している現像剤が記録用紙に転写される。画像データが転写された記録用紙は定着部２１３へ搬送され、この定着部２１３における加熱・加圧処理により画像データが記録用紙に定着される。
【００４３】
そして、画像データを記録用紙の片面に記録する場合は、定着部２１３を通過した記録用紙が、そのまま排紙ローラ２１４によって排紙ユニット１１４へ排紙され、この排紙ユニット１１４は、排紙された記録用紙を束ねて仕分け処理を行い、また、仕分けされた記録用紙のステイプル処理を行う。
【００４４】
また、画像データを記録用紙の両面に記録する場合は、排紙ローラ２１４まで記録用紙を搬送した後、該排紙ローラ２１４の回転方向を逆転させ、フラッパ２１５によって再給紙搬送路２１６へと導かれ、該再給紙搬送路２１６に導かれた記録用紙は、上述と同様にして転写部２１２へ搬送される。
【００４５】
コントローラユニット１０９は、単一の電子部品で構成され、リーダ部１０５により読み取った画像データをコードに変換し、ＬＡＮ１０２を介して第一及び第二のホストコンピュータ１０３，１０４に送信するスキャナ機能、及びホストコンピュータ１０３，１０４からＬＡＮ１０２を介して受信したコードデータを画像データに変換し、プリンタ部１０６へ出力するプリンタ機能、その他の機能ブロックを有している。
【００４６】
図６は、コントローラユニット１１０の内部構成を示すブロック図であり、同図において、６０１はメインコントローラで、ＣＰＵ６０２とバスコントローラ６０３と後述する各種コントローラ回路を含む機能ブロックとを内蔵している。メインコントローラ６０１は、ＲＯＭ  Ｉ／Ｆ（リードオンリーメモリインターフェース）６０４を介してＲＯＭ（リードオンリーメモリ）６０５と接続されている。また、メインコントローラ６０１は、ＤＲＡＭ  Ｉ／Ｆ（ダイナミックリードオンリーメモリ）６０６を介してＤＲＡＭ（ダイナミックリードオンリーメモリ）６０７と接続されている。また、メインコントローラ６０１は、コーデックＩ／Ｆ（インターフェース）６０８を介してコーデック６０９と接続されている。また、メインコントローラ６０１は、ネットワークＩ／Ｆ（インターフェース）６１０を介してネットワークコントローラ６１１と接続されている。
【００４７】
ＲＯＭ６０５には、メインコントローラ６０１のＣＰＵ６０２で実行される各種制御プログラムや演算データが格納されている。ＤＲＡＭ６０７は、ＣＰＵ６０２が動作するための作業領域や画像データを蓄積するための領域として使用される。コーデック６０９は、ＤＲＡＭ６０７に蓄積されたラスターイメージデータをＭＨ／ＭＲ／ＭＭＲ／ＪＢＩＧ等の周知の圧縮方式で圧縮し、また圧縮されたデータをラスターイメージデータに伸長する。また、コーデック６０９にはＳＲＡＭ（スタティックランダムアクセスメモリ）６１２が接続されており、該ＳＲＡＭ６１２は、前記コーデック６０９の一時的な作業領域として使用される。
【００４８】
ネットワークコントローラ６１１は、ネットワークコネクタ６１３を介してＬＡＮ１０２との間で所定の制御動作を行う。メインコントローラ６０１は、スキャナバス６１４を介してスキャナＩ／Ｆ（インターフェース）６１５に接続されている。また、メインコントローラ６０１は、プリンタバス６１６を介してプリンタＩ／Ｆ（インターフェース）６１７に接続されている。また、メインコントローラ６０１は、ＰＣＩバス等の汎用高速バス６１８を介して拡張ボードを接続するための拡張コネクタ６１９及び入出力制御部（Ｉ／Ｏ制御部）６２０に接続されている。
【００４９】
Ｉ／Ｏ制御部６２０は、リーダ部１０５やプリンタ部１０６との間で制御コマンドを送受信するための調歩同期式のシリアル通信コントローラ６２１が２チャンネル（２ｃｈ）装備されており、該シリアル通信コントローラ６２１は、Ｉ／Ｏバス６２２を介してスキャナＩ／Ｆ６１５及びプリンタＩ／Ｆ６１７にそれぞれ接続されている。
【００５０】
スキャナＩ／Ｆ６１５は、第一の調歩同期シリアルＩ／Ｆ（インターフェース）６２３及び第一のビデオＩ／Ｆ（インターフェース）６２４を介してスキャナコネクタ６２５に接続されている。該スキャナコネクタ６２５は、リーダ部１０５のスキャナユニット１１１に接続されている。そして、スキャナＩ／Ｆ６１５は、スキャナユニット１１１から受信した画像データに対し所望の２値化処理や、主走査方向及び／または副走査方向の変倍処理を行い、また、スキャナユニット１１１から送られて来たビデオ信号に基づいて制御信号を生成し、この制御信号を、スキャナバス６１４を介してメインコントローラ６０１に転送する。
【００５１】
また、プリンタＩ／Ｆ６１７は、第２の調歩同期シリアルＩ／Ｆ（インターフェース）６２６及び第２のビデオＩ／Ｆ６２７を介してプリンタコネクタ６２８に接続されている。該プリンタコネクタ６２８は、プリンタ部１０６のマーキングユニット１１３に接続されている。そして、プリンタＩ／Ｆ６１７は、メインコントローラ６０１から出力された画像データにスムージング処理を施して、該画像データをマーキングユニット１１３に出力し、更にマーキングユニット１１３から送られたビデオ信号に基づいて、生成された制御信号をプリンタバス６１６に出力する。
【００５２】
ＣＰＵ６０２は、ＲＯＭ６０５からＲＯＭＩ／Ｆ６０４を介して読み込まれた制御プログラムに基づいて動作し、例えば、第１及び第２のホストコンピュータ１０３，１０４から受信したＰＤＬ（ページ記述言語）データを解釈し、ラスターイメージデータに展開処理を行う。
【００５３】
また、バスコントローラ６０３は、スキャナＩ／Ｆ６１５、プリンタＩ／Ｆ６１７、その他拡張コネクタ６１９等に接続された外部機器から入出力されるデータ転送を制御するものであり、バス競合時のアービトレーション（調停）やＤＭＡデータ転送の制御を行う。即ち、例えば、上述したＤＲＡＭ６０７とコーデック６０９との間のデータ転送や、スキャナユニット１１１からＤＲＡＭ６０５へのデータ転送、ＤＲＡＭ６０５からマーキングユニット１１３へのデータ転送等は、バスコントローラ６０３によって制御され、ＤＭＡ転送される。
【００５４】
また、Ｉ／Ｏ制御部６２０は、ＬＣＤ（液晶表示器）コントローラ６２９及びキー入力Ｉ／Ｆ（インターフェース）６３０を介してパネルＩ／Ｆ（インターフェース）６３１に接続されている。パネルＩ／Ｆ６３１は、操作部１０７に接続されている。また、Ｉ／Ｏ制御部６２０は、不揮発性メモリとしてのＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）６３２に接続されている。また、Ｉ／Ｏ制御部６２０は、Ｅ−ＩＤＥコネクタ６３３を介してＣＤ−ＲＯＭドライブ６３４に接続されている。ＣＤ−ＲＯＭドライブ６３４は、ＣＤ−ＲＯＭ６３５を駆動するものである。また、Ｉ／Ｏ制御部６２０は、機器内で管理する日付と時刻とを更新／保存するリアルタイムクロックモジュール６３６に接続されている。このリアルタイムクロックモジュール６３６は、バックアップ用電池６３７に接続され、このバックアップ用電池６３７によりバックアップされている。
【００５５】
図７は、メインコントローラ６０１の内部詳細を示すブロック構成図である。
【００５６】
同図において、バスコントローラ６０３は、４×４の６４ビットクロスバススイッチで構成され、６４ビットのプロセッサバス（Ｐバス）７０１を介してＣＰＵ６０２に接続されている。また、バスコントローラ６０３は、メモリ専用のローカルバス（Ｍバス）７０２を介してキャッシュメモリ７０３ａを備えたメモリコントローラ７０３に接続されている。
【００５７】
尚、メモリコントローラ７０３は、ＲＯＭ６０５やＤＲＡＭ６０７等のメモリ類と接続され、これらのメモリ類の動作を制御する。
【００５８】
また、バスコントローラ６０３は、グラフィックスバス（Ｇバス）７０４を介してＧバスアービタ（ＧＢＡ）７０５及びスキャナ・プリンタコントローラ７０６と接続されている。また、バスコントローラ６０３は、入出力バス（Ｂバス）７０７を介して、Ｂバスアービタ（ＢＢＡ）７０８、Ｇバスアービタ７０５、インタラプトコントローラ（ＩＣ）７０９及びパワーマネッジメント（電力管理）ユニット（ＰＭＵ）７１０、シリアルＩ／ＦコントローラであるＵＡＲＴコントローラ（ＳＩＣ）７１１、ＵＳＢ（Ｕｎｉｖｅｒｓａｌ  Ｓｅｒｉａｌ  Ｂｕｓ）コントローラ（ＵＳＢＣ）７１２、パラレルＩ／ＦコントローラであるＩＥＥＥ１２８４コントローラ（ＰＩＣ）７１３、イーサネット（登録商標）ＬＡＮ（ローカルエリアネットワーク）コントローラ（ＬＡＮＣ）７１４、汎用入出力コントローラ（ＭＩＳＣ）７１５、Ｂバス７０７と外部バスであるＰＣＩバスとの間でＩ／Ｆ動作を司るＰＣＩバスＩ／Ｆコントローラ（ＰＣＩＣ）７１６及びスキャナ・プリンタコントローラ７０６と接続されている。
【００５９】
Ｂバスアービタ７０８は、Ｂバス７０７を協調制御するアービトレーションであり、Ｂバス７０７のバス使用要求を受け付け、調停の後、使用許可が選択された一つのマスタに与えられ、これにより同時に二つ以上のマスタがバスアクセスを行うのを禁止している。
【００６０】
尚、アービトレーション方式は３段階の優先権を有し、それぞれの優先権に複数のマスタが割り当てられる。
【００６１】
インタラプトコントローラ７０９は、上述した各機能ブロック及びコントローラユニット１０９の外部からインタラプトを集積し、ＣＰＵ６０２がサポートするコントローラ類７０６，７１１〜７１６及びノンマスカブルインタラプト（ＮＭＩ）に再配分する。
【００６２】
電力管理ユニット７１０は、機能ブロック毎に電力を管理し、更に１チップで構成されている電子部品としてコントローラユニット１０９の消費電力量の監視を行う。即ち、コントローラユニット１０９は、ＣＰＵ６０２を内蔵した大規模なＡＳＩＣ（特定用途向け集積回路）で構成されており、このため、全ての機能ブロックが同時に動作すると大量の熱を発生して、コントローラユニット１０９自体が破壊されてしまう虞がある。
【００６３】
そこで、このような事態を防止するために、機能ブロック毎に消費電力を管理し、各機能ブロックの消費電力量は、パワーマネージメントレベルとして電力管理ユニット７１０に集積される。そして、該電力管理ユニット７１０では各機能ブロックの消費電力量を合計し、該消費電力量が限界消費電力を超えないように各機能ブロックの消費電力量を一括して監視する。
【００６４】
Ｇバスアービタ７０５は、中央アービトレーション方式によりＧバス７０４を協調制御しており、各バスマスタに対して専用の要求信号と許可信号とを有する。
【００６５】
尚、バスマスタへの優先権の付与方式として、全てのバスマスタを同じ優先権として、公平にバス権を付与する公平アービトレーションモードと、いずれか一つのバスマスタに対して優先的にバスを使用させる優先アービトレーションモードのいずれかを指定することができる。
【００６６】
操作部１０７は、リーダ部１０５の画像処理に対する画像編集内容や、コピー枚数等を指示する各種キー群と、操作時の内容を表示する表示部等を有している。
【００６７】
図８は、本実施の形態に係る画像処理装置１０１における操作部１０７の構成を示す平面図であり、この操作部１０７には、各種キーと、液晶表示器から成るドットマトリックスで構成される表示部８０１とが配置されている。
【００６８】
表示部８０１は、装置の状態、コピー枚数、倍率、選択用紙及び各種操作画面を表示し、各種のコントロールキー等により操作される。
【００６９】
また、スタートキー８０２は、コピー動作を開始するためのキーであり、復帰キー８０３は、設定モードを標準状態に復帰するためのキーである。また、キー群８０４は、コピー枚数、ズーム倍率等を入力させる０〜９までのテンキーと、その入力をクリアするためのクリアキーである。濃度キー８０５は、濃度をアップ・ダウンするためのキーであり、これにより調整される濃度は、表示部８０１に表示される。キー８０６は、自動濃度調整機能をＯＮ／ＯＦＦするためのキーとその表示部であり、キー８０７は、給紙段及びオート用紙選択を選択するキーで、この選択状態は、表示部８０１に表示される。キー８０８、キー８０９は、それぞれ等倍、定形縮小／拡大を設定するキーである。また、キー８１０は、オート変倍モードを設定するためのキーで、この選択状態は表示部８０１に表示される。
【００７０】
図９は、表示部８０１の表示例を示す図であり、同図において、９０１〜９１２はキーである。
【００７１】
図８において、キー８１１は、ユーザーの個別設定を可能にするユーザーモードキーで、このユーザーモードキー８１１を押下すると図９（ａ）に示す画面が表示される。この画面上に表示されるキー９０１を押下すると、図９（ｂ）に示す画面が表示される。この画面上に表示されるキー９０６は、原稿サイズ登録手段（シートサイズ登録手段）であり、このキー９０６を押下することにより、図９（ｃ）に示す画面が表示される。ここで定型紙を選択する場合は、キー９０８若しくはキー９０９を押下し、これにより図９（ｄ）に示す画面が表示される。この中で必要なキーを押下することで所望の原稿サイズを予め設定することができる。また、図９（ｃ）において、キー９１０若しくは９１１が押下されると、図９（ｅ）に示す画面が表示される。図９（ｅ）において、キー９１２は自動原稿搬送ユニット１１０を用いて原稿サイズを測定することで任意の原稿サイズを登録するためのキーである。このキー９１２が押下されると、図９（ｆ）に示すように、自動原稿搬送ユニット１１０の原稿載置トレイ３０１の上に原稿Ｐを積層載置し、スタートキー８０２を押下することをユーザーに促すメッセージが表示される。
【００７２】
ここで原稿Ｐを原稿載置トレイ３０１の上に積層載置し、スタートキー８０２を押下すると、図１０に示す画面を表示し、原稿サイズの測定を行い、その測定値を画面上に表示する。その測定値が正しい場合は、Ｙｅｓキー１００１を押下することにより、測定値である原稿サイズを登録する。図１０の画面においては、主走査方向２５０ｍｍ、副走査方向３５０ｍｍの原稿サイズを登録した状態を示している。
【００７３】
次に、上述のような構成の本実施の形態に係る情報処理装置１０１の動作について説明する。
【００７４】
まず、自動原稿搬送ユニット１１０による流し読み動作について、図１１を用いて説明する。
【００７５】
原稿載置トレイ３０１の上に原稿Ｐが積層載置され、操作部１０７上のスタートキー８０２（図８参照）を押下すると、図１１に示す処理動作が開始される。
【００７６】
そして、まず、ステップＳ１１０１で、前記原稿載置トレイ３０１の上に積層載置された原稿Ｐのサイズを、原稿サイズ検知手段（原稿後端検知センサ３０９及び原稿幅検知センサ３１１）により検知する。今、ＬＥＧＡＬ（ＬＧＬ）サイズ（２１６ｍｍ×３５５．５ｍｍ）の原稿が原稿載置トレイ３０１の上に積層載置されたとすると、前記原稿サイズ検知手段により検知された幅方向の長さ２１６ｍｍと、送り方向の長さ３５５．５ｍｍとから、原稿載置トレイ３０１の上に積層載置された原稿のサイズはＬＥＧＡＬサイズであると判断する。
【００７７】
次に、ステップＳ１１０２で、ユーザーが前記ユーザーモードキー８１１を押下することによる個別設定が存在するか否かを判断する。ユーザーの個別設定がされていない場合、ステップＳ１１０２における判断結果は否定（Ｎｏ）となり、ステップＳ１１０７へ進む。ステップＳ１１０７では、前記原稿サイズ検知手段により検知された原稿のサイズコードを適用して、原稿画像をスキャナユニット１１１により読み込んだ後、本処理動作を終了する。
【００７８】
次に、例えば南米地域のような特殊サイズの原稿を用いる場合に、ユーザーが予め個別設定を行った状態で、原稿載置トレイ３０１の上にＭｅｘｉｃａｎＯＦＦＩＣＩＯサイズの原稿が積層載置された場合について説明する。ステップＳ１１０１では、前記原稿載置トレイ３０１の上に積層載置された原稿Ｐのサイズを、原稿サイズ検知手段（原稿後端検知センサ３０９及び原稿幅検知センサ３１１により検知する。
【００７９】
ここで本来ならば、原稿サイズ検知手段により幅方向のサイズが２１６ｍｍ、長さ方向のサイズが３４１ｍｍと検知され、ＭｅｘｉｃａｎＯＦＦＩＣＩＯサイズと判断されるべきであるが、給紙ローラ３１２は、原稿の素材の種類により滑り等を発生する。そのため、ＭｅｘｉｃａｎＯＦＦＩＣＩＯサイズよりも副走査方向に長いＬＥＧＡＬサイズの原稿が原稿載置トレイ３０１の上に積層載置されているものと誤判断してしまう場合がある。ＭｅｘｉｃａｎＯＦＦＩＣＩＯサイズの原稿をＬＥＧＡＬサイズの長さ分読み込むと、１４ｍｍ分だけ余分に画像を読み込むことになる（図１３参照）。図１２（ａ）及び図１２（ｂ）に示すように、画像読取位置２０１ａがゴミ１２００で汚れていたとすると、該ゴミ１２００を流し読みすることにより、図１３に示すように、出力される画像が汚れた状態となる。
【００８０】
前記ステップＳ１１０２において、ユーザーの個別設定が有ると判断された場合には、ステップＳ１１０３へ進んで、原稿載置トレイ３０１の上に積層載置された原稿の主走査サイズが原稿サイズ登録手段により登録された主走査サイズのデータと一致するか否かを判断する。ここで前記原稿サイズ検知手段により検知された原稿の幅方向（主走査方向）の長さは２１６ｍｍであり、また、前記原稿サイズ登録手段により登録されたサイズ（データ）は、上述したように２５０ｍｍ×３５０ｍｍ（図１０参照）である。従って、前記原稿サイズ検知手段により検知された原稿のサイズと前記原稿サイズ登録手段により登録されたサイズとは、幅方向の長さが一致しないことになる。この場合、原稿載置トレイ３０１の上に積層載置された原稿の主走査サイズが原稿サイズ登録手段により登録された主走査サイズと一致しないと判断され、ステップＳ１１０５へ進んで、原稿載置トレイ３０１の上に積層載置された原稿のサイズが前記原稿サイズ検知手段により予め設定された原稿サイズと一致するか否かを判断する。
【００８１】
ここでは、ユーザーによって予め誤検知される可能性のある原稿サイズ（ここではＬＥＧＡＬサイズ）が設定されている。そして、ステップＳ１１０５において、ステップＳ１１０１で判断された原稿のサイズがＬＥＧＡＬサイズである場合、予めユーザーにより設定された原稿サイズと一致するため、判断結果は肯定（Ｙｅｓ）となり、ステップＳ１１０６へ進んで、予め設定されたサイズコード（ここではＭｅｘｉｃａｎＯＦＦＩＣＩＯサイズ）を適用して、原稿画像をスキャナユニット１１１により読み込んだ後、本処理動作を終了する。
【００８２】
即ち、原稿サイズ検知手段により、原稿載置トレイ３０１の上に積層載置された原稿のサイズがＬＥＧＡＬサイズであると判断された場合には、ＭｅｘｉｃａｎＯＦＦＩＣＩＯサイズとしての読み取りモードに変更した上で画像を読み取るものである。このようにすると、ＭｅｘｉｃａｎＯＦＦＩＣＩＯサイズ分だけ画像を読み取れば良いので、画像にゴミ１２００が乗って汚れるようなことはない。
【００８３】
また、原稿載置トレイ３０１の上に、ＬＥＴＴＥＲ（ＬＴＲ）サイズの原稿が積層載置されたとする。ＬＴＲサイズは原稿サイズ検知手段により２１６ｍｍ×２７９ｍｍであると判断される（ステップＳ１１０１）。このＬＴＲサイズが予め原稿サイズ登録手段により登録されたサイズ（２５０ｍｍ×３５０ｍｍ）と一致するか否かを判断する(ステップＳ１１０３)。ここでは一致しないため、予め設定されたサイズ（ここではＬＥＧＡＬサイズ）と一致するか否かを判断する（ステップＳ１１０５）。ＬＴＲサイズは予め定められたサイズと一致しないため、原稿載置トレイ３０１の上に積層載置された原稿のサイズが予め定められたサイズと一致しないと判断され、前記原稿サイズ検知手段により検知された原稿のサイズコード（ＬＴＲサイズ）を適用して、原稿画像をスキャナユニット１１１により読み込んだ後（ステップＳ１１０７）、本処理動作を終了する。
【００８４】
原稿載置トレイ３０１の上にサイズ２５０ｍｍ×３５０ｍｍの原稿が積層載置されたとすると、前記登録された原稿サイズに一致するので、前記ステップＳ１１０２及び前記ステップＳ１１０３における判断結果は、いずれも肯定（Ｙｅｓ）となり、ステップＳ１１０４へ進んで、サイズ２５０ｍｍ×３５０ｍｍの原稿の画像を読み込むことにより、正しく画像を形成する（汚れのない画像を形成する）ことが可能となる。
【００８５】
前記ステップＳ１１０４の処理が終了後は、本処理動作を終了する。
【００８６】
尚、上述した実施の形態では、予め設定されたサイズとしてＬＥＧＡＬサイズに関して述べたが、本発明はこれに限定されるものではない。
【００８７】
（他の実施の形態）
上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００８８】
この場合、記憶媒体から読み出されたプログラムコード自体が上述した実施の形態の機能を実現することになり、そのプログラムコードを記憶した記憶媒体は本発明を構成することになる。
【００８９】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００９０】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００９１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００９２】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００９３】
本発明の実施態様の例を以下に列挙する。
【００９４】
［実施態様１］  原稿を情報読取位置に搬送する原稿搬送手段と、
前記原稿搬送手段により前記情報読取位置に搬送される前記原稿の情報を読み取る情報読取手段と、
原稿サイズを検知する原稿サイズ検知手段と、
前記原稿の情報を前記情報読取手段により読み取る際に、前記原稿サイズ検知手段により検知された原稿サイズが予め設定された原稿サイズと一致した場合に、前記原稿サイズ検知手段により検知された原稿サイズと異なる所定の原稿サイズに応じた原稿読み取り処理を行うように制御する制御手段と、
を有すること特徴とする情報処理装置。
【００９５】
［実施態様２］  前記原稿サイズ検知手段は、前記原稿の幅と長さを検知することを特徴とする実施態様１に記載の情報処理装置。
【００９６】
［実施態様３］  任意の原稿サイズを登録する原稿サイズ登録手段を有することを特徴とする実施形態１に記載の情報処理装置。
【００９７】
［実施態様４］  前記原稿サイズ登録手段は、操作パネルを有することを特徴とする実施態様３に記載の情報処理装置。
【００９８】
［実施態様５］  前記原稿サイズ登録手段は、少なくとも複数の原稿のサイズを登録することが可能であることを特徴とする実施態様３に記載の情報処理装置。
【００９９】
［実施態様６］  原稿を情報読取位置に搬送する原稿搬送工程と、
前記情報読取位置に搬送される前記原稿の情報を読み取る情報読取工程と、
原稿サイズを検知する原稿サイズ検知工程と、
前記原稿の情報を前記情報読取工程により読み取る際に、前記原稿サイズ検知工程により検知された原稿サイズが予め設定された原稿サイズと一致した場合に、前記原稿サイズ検知工程により検知された原稿サイズと異なる所定の原稿サイズに応じた原稿読み取り処理を行うように制御する制御工程と、
を有すること特徴とする情報処理方法。
【０１００】
［実施態様７］  前記原稿サイズ検知工程は、前記原稿の幅と長さを検知することを特徴とする実施態様６に記載の情報処理方法。
【０１０１】
［実施態様８］  任意の原稿サイズを登録する原稿サイズ登録工程を有することを特徴とする実施態様６に記載の情報処理方法。
【０１０２】
［実施態様９］  前記原稿サイズ登録工程は、操作パネルを有することを特徴とする実施態様８に記載の情報処理方法。
【０１０３】
［実施態様１０］  前記原稿サイズ登録工程は、少なくとも複数の原稿のサイズを登録することが可能であることを特徴とする実施態様８に記載の情報処理方法。
【０１０４】
［実施態様１１］  実施態様６に記載の情報処理方法の各工程をコンピュータに実行させるためのプログラムコードから成ること特徴とする制御プログラム。
【０１０５】
［実施態様１２］  実施態様１１に記載の制御プログラムを格納したことを特徴とする記憶媒体。
【０１０６】
【発明の効果】
以上詳細に説明したように本発明によれば、例えば中南米その他の特定地域等で使用される特殊サイズの原稿を原稿搬送手段により搬送移動させながら該原稿の情報を正しく読み取ることが可能となる。
【図面の簡単な説明】
【図１】本発明の第１の実施の形態に係る画像処理装置を有する画像処理システムの構成を示すブロック図である。
【図２】本発明の第１の実施の形態に係る画像処理装置の内部構成を示す側断面図である。
【図３】本発明の第１の実施の形態に係る画像処理装置における自動原稿搬送ユニットの構成を示す側断面図である。
【図４】図３の一部を拡大した図である。
【図５】図４の一部を拡大した図である。
【図６】本発明の第１の実施の形態に係る画像処理装置におけるコントローラユニットの構成を示すブロック図である。
【図７】本発明の第１の実施の形態に係る画像処理装置におけるメインコントローラの構成を示すブロック図である。
【図８】本発明の第１の実施の形態に係る画像処理装置における操作部の構成を示す平面図である。
【図９】本発明の第１の実施の形態に係る画像処理装置における画像サイズ設定画面の一例を示す図である。
【図１０】本発明の第１の実施の形態に係る画像処理装置における原稿サイズ登録画面の一例を示す図である。
【図１１】本発明の第１の実施の形態に係る画像処理装置の動作の流れを示すフローチャートである。
【図１２】本発明の第１の実施の形態に係る画像処理装置における流し読取モードにおける画像形成を示す図である。
【図１３】本発明の第１の実施の形態に係る画像処理装置における流し読取モードにおける画像形成を示す図である。
【符号の説明】
Ｐ              シート状の原稿
１０１          画像処理装置（情報処理装置）
１０２          ＬＡＮ
１０３          第１のホストコンピュータ（ＰＣ：パーソナルコンピュータ）
１０４          第２のホストコンピュータ（ＰＣ：パーソナルコンピュータ）
１０５        リーダ部
１０６        プリンタ部
１０７        操作部
１０８        ＣＤ−ＲＯＭ（コンパクトディスク−リードオンリーメモリ）ドライブ
１０９        コントローラユニット
１１０        自動原稿搬送ユニット（自動原稿搬送手段）
１１１        スキャナユニット（情報読取手段）
１１２        給紙ユニット
１１３        マーキングユニット
１１４        排出ユニット
２０１        プラテンガラス
２０１ａ      原稿流し読取位置
２０２        ランプ
２０３        光学ユニット
２０４        ミラー
２０５        ミラー
２０６        ミラー
２０７        レンズ
２０８        ＣＣＤイメージセンサ（ＣＣＤ）
２０９        レーザ発光部
２１０        感光ドラム
２１１        現像器
２１２        転写部
２１３        定着部
２１４        排紙ローラ
２１５        フラッパ
２１６        再給紙搬送路
３０１        原稿載置トレイ
３０２        駆動ローラ
３０３        ターンローラ
３０４        無端ベルト
３０５        排出トレイ
３０６        一対の幅方向規制板（規制ガイド）
３０７        ストッパ
３０８        原稿セット検知センサ（原稿セット検知手段）
３０９        原稿後端検知センサ（原稿サイズ検知手段、第２サイズ検知手段）
３１０        最終原稿検知センサ
３１１        原稿幅検知センサ（原稿サイズ検知手段、第１サイズ検知手段）
３１２        給送ローラ
３１３        給送センサ
３１４        分離センサ
３１５        分離クロックセンサ
３１６        分離モータ（分離駆動手段）
３１７        揺動モータ
３１８        給送ローラ（原稿給送手段）
３１９        分離ベルト（第２分離部材）
３２０        分離搬送ローラ（第１分離部材）
３２１        第１給送ローラ（原稿搬送手段）
３２２        第１反転ローラ
３２３        第２反転ローラ
５０１        揺動位置センサ
５０２        昇降アーム
５０３        分離上ガイド板
５０４        揺動アーム
５０５        位置決めピン
６０１        メインコントローラ
６０２        ＣＰＵ
６０３        バスコントローラ
６０４        ＲＯＭ  Ｉ／Ｆ（リードオンリーメモリインターフェース）
６０５        ＲＯＭ（リードオンリーメモリ）
６０６        ＤＲＡＭ  Ｉ／Ｆ（ダイナミックリードオンリーメモリ）
６０７        ＤＲＡＭ（ダイナミックリードオンリーメモリ）
６０８        コーデックＩ／Ｆ（インターフェース）
６０９        コーデック
６１０        ネットワークＩ／Ｆ（インターフェース）
６１１        ネットワークコントローラ
６１２        ＳＲＡＭ（スタティックランダムアクセスメモリ）
６１３        ネットワークコネクタ
６１４        スキャナバス
６１５        スキャナＩ／Ｆ（インターフェース）
６１６        プリンタバス
６１７        プリンタＩ／Ｆ（インターフェース）
６１８        汎用高速バス
６１９        拡張コネクタ
６２０        入出力制御部（Ｉ／Ｏ制御部）
６２１        シリアル通信コントローラ
６２２        Ｉ／Ｏバス
６２３        第一の調歩同期シリアルＩ／Ｆ（インターフェース）
６２４        第１のビデオＩ／Ｆ（インターフェース）
６２５        スキャナコネクタ
６２６        第２の調歩同期シリアルＩ／Ｆ（インターフェース）
６２７        第２のビデオＩ／Ｆ
６２８        プリンタコネクタ
６２９        ＬＣＤ（液晶表示器）コントローラ
６３０        キー入力Ｉ／Ｆ（インターフェース）
６３１        パネルＩ／Ｆ（インターフェース）
６３２        ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）
６３３        Ｅ−ＩＤＥコネクタ
６３４        ＣＤ−ＲＯＭドライブ
６３５        ＣＤ−ＲＯＭ
６３６        リアルタイムクロックモジュール
６３７        バックアップ用電池
７０１        ６４ビットのプロセッサバス（Ｐバス）
７０２        メモリ専用のローカルバス（Ｍバス）
７０３        メモリコントローラ
７０３ａ      キャッシュメモリ
７０４        グラフィックスバス（Ｇバス）
７０５        Ｇバスアービタ（ＧＢＡ）
７０６        スキャナ・プリンタコントローラ
７０７        入出力バス（Ｂバス）
７０８        Ｂバスアービタ（ＢＢＡ）
７０９        インタラプトコントローラ（ＩＣ）
７１０        パワーマネッジメント（電力管理）ユニット（ＰＭＵ）
７１１        ＵＡＲＴコントローラ（ＳＩＣ）
７１２        ＵＳＢ（Ｕｎｉｖｅｒｓａｌ  Ｓｅｒｉａｌ  Ｂｕｓ）コントローラ（ＵＳＢＣ）
７１３        ＩＥＥＥ１２８４コントローラ（ＰＩＣ）
７１４        イーサネット（登録商標）ＬＡＮ（ローカルエリアネットワーク）コントローラ（ＬＡＮＣ）
７１５        汎用入出力コントローラ（ＭＩＳＣ）
７１６        ＰＣＩバスＩ／Ｆコントローラ（ＰＣＩＣ）
８０１        表示部
８０２        スタートキー
８０３        復帰キー
８０４        キー群（テンキー及びクリアキー）
８０５        濃度キー
８０６        自動濃度調整機能ＯＮ／ＯＦＦキー及びその表示部
８０７        給紙段及びオート用紙選択キー
８０８        等倍設定キー
８０９ａ      縮小設定キー
８０９ｂ      拡大設定キー
８１０        オート変倍モード設定キー
８１１        ユーザーモードキー
９０１        キー
９０２        キー
９０３        キー
９０４        キー
９０５        キー
９０６        キー（原稿サイズ登録手段）
９０７        キー
９０８        キー
９０９        キー
９１０        キー
９１１        キー
９１２        キー（原稿サイズ登録手段）
１００１      Ｙｅｓキー
１２００      ゴミ
【図１】
2004194254.tif 000003
【図２】
2004194254.tif 000004
【図３】
2004194254.tif 000005
【図４】
2004194254.tif 000006
【図５】
2004194254.tif 000007
【図６】
2004194254.tif 000008
【図７】
2004194254.tif 000009
【図８】
2004194254.tif 000010
【図９】
2004194254.tif 000011
【図１０】
2004194254.tif 000012
【図１１】
2004194254.tif 000013
【図１２】
2004194254.tif 000014
【図１３】
2004194254.tif 000015